【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
ぼかし処理を施さない非ぼかし領域を画面内に設定する非ぼかし領域設定手段と、
ユーザの操作に応じて、焦点検出を行う焦点検出領域を前記画面内に設定する焦点検出領域設定手段と、
前記非ぼかし領域の外に前記焦点検出領域がある場合に、前記非ぼかし領域の中に焦点検出領域がある場合には行わない通知をするように制御する制御手段と、
を備えることを特徴とする撮像制御装置。
【請求項２】
前記制御手段は、前記非ぼかし領域を前記ユーザが設定可能な動作モードへの遷移を前記ユーザが指示するための表示アイテムを前記画面内に表示するように制御し、
前記通知は、前記制御手段が前記表示アイテムの表示態様を変更することを含む
ことを特徴とする請求項１に記載の撮像制御装置。
【請求項３】
前記制御手段は、前記非ぼかし領域を示す表示要素と前記焦点検出領域を示す表示要素とを前記画面内に表示するように制御し、
前記通知は、前記制御手段が、前記非ぼかし領域を示す表示要素と前記焦点検出領域を示す表示要素とのうちの少なくとも一方の表示態様を、前記非ぼかし領域の中に前記焦点検出領域がある場合とは異なる表示態様に変更することを含む
ことを特徴とする請求項１又は２に記載の撮像制御装置。
【請求項４】
前記非ぼかし領域を所定の位置に移動させると共に前記焦点検出領域を前記非ぼかし領域の中の所定の位置に移動させるリセット手段を更に備え、
前記通知は、前記制御手段が、前記リセット手段による前記非ぼかし領域及び前記焦点検出領域の移動を指示するように前記ユーザに促す表示要素を前記画面内に表示することを含む
ことを特徴とする請求項１乃至３のいずれか１項に記載の撮像制御装置。
【請求項５】
前記焦点検出領域を前記非ぼかし領域の中へ移動させる焦点検出領域移動手段を更に備え、
前記通知は、前記制御手段が、前記焦点検出領域移動手段による前記焦点検出領域の移動を指示するように前記ユーザに促す情報を前記画面内に表示することを含む
ことを特徴とする請求項１乃至４のいずれか１項に記載の撮像制御装置。
【請求項６】
前記非ぼかし領域を、前記焦点検出領域が前記非ぼかし領域の中に含まれるように移動させる非ぼかし領域移動手段を更に備え、
前記通知は、前記制御手段が、前記非ぼかし領域移動手段による前記非ぼかし領域の移動を指示するように前記ユーザに促す情報を前記画面内に表示することを含む
ことを特徴とする請求項１乃至５のいずれか１項に記載の撮像制御装置。
【請求項７】
ぼかし処理を施さない非ぼかし領域を画面内に設定する非ぼかし領域設定手段と、
第１の操作及び第２の操作に応じて、焦点検出を行う焦点検出領域を前記画面内で移動させる焦点検出領域設定手段と、
前記第１の操作があった場合には、前記焦点検出領域が前記非ぼかし領域の外に移動するか否かに関わらず前記焦点検出領域を移動させ、前記第２の操作があった場合には、前記第２の操作に応じた前記焦点検出領域の移動すべき位置が前記非ぼかし領域の中であれば前記焦点検出領域を移動させ、前記第２の操作に応じた前記焦点検出領域の移動すべき位置が前記非ぼかし領域の外であれば前記焦点検出領域を移動させないように制御する制御手段と、
を備えることを特徴とする撮像制御装置。
【請求項８】
前記焦点検出領域設定手段は、第１の操作及び第２の操作に応じて、前記焦点検出領域を前記画面内で移動させることが可能であり、
前記制御手段は更に、前記第１の操作があった場合には、前記焦点検出領域が前記非ぼかし領域の外に移動するか否かに関わらず前記焦点検出領域を移動させ、前記第２の操作があった場合には、前記第２の操作に応じた前記焦点検出領域の移動すべき位置が前記非ぼかし領域の中であれば前記焦点検出領域を移動させ、前記第２の操作に応じた前記焦点検出領域の移動すべき位置が前記非ぼかし領域の外であれば前記焦点検出領域を移動させないように制御する
ことを特徴とする請求項１乃至６のいずれか１項に記載の撮像制御装置。
【請求項９】
前記第１の操作は、前記画面上でのダブルタップを含み、
前記第２の操作は、前記画面上でのシングルタップを含む
ことを特徴とする請求項７又は８に記載の撮像制御装置。
【請求項１０】
前記第２の操作は、方向キーの同一方向への連続的な操作を含み、
前記第１の操作は、前記連続的な操作とは異なる前記方向キーの操作を含む
ことを特徴とする請求項７乃至９のいずれか1項に記載の撮像制御装置。
【請求項１１】
ユーザの操作に応じて、ぼかし処理を施さない非ぼかし領域を画面内で移動させる非ぼかし領域設定手段と、
前記ユーザの操作に応じて、焦点検出を行う焦点検出領域を前記画面内で移動させる焦点検出領域設定手段と、
前記ぼかし処理を施す撮影モードに設定された場合に、前記焦点検出領域を移動させる前記ユーザの操作を受け付けるように制御する前に、前記非ぼかし領域を移動させる前記ユーザの操作を受け付けるように制御する制御手段と、
を備えることを特徴とする撮像制御装置。
【請求項１２】
前記制御手段は更に、前記ぼかし処理を施す撮影モードに設定された場合に、前記焦点検出領域を移動させるユーザの操作を受け付けるように制御する前に、前記非ぼかし領域を移動させるユーザの操作を受け付けるように制御する
ことを特徴とする請求項１乃至１０のいずれか1項に記載の撮像制御装置。
【請求項１３】
撮像手段で撮像されたライブビュー画像と共に、ぼかし処理を施さない非ぼかし領域を示す表示要素と焦点検出を行う焦点検出領域を示す表示要素とを表示する画面内に、前記非ぼかし領域を設定する非ぼかし領域設定手段と、
前記焦点検出領域を前記画面内に設定する焦点検出領域設定手段と、
前記画面において前記非ぼかし領域の内外を識別して視認可能となるように、前記非ぼかし領域の外に、前記ぼかし処理とは異なる画像処理を施すように制御する制御手段と、
を備えることを特徴とする撮像制御装置。
【請求項１４】
前記画面には、撮像手段で撮像されたライブビュー画像が表示され、
前記制御手段は更に、前記画面において前記非ぼかし領域の内外を識別して視認可能となるように、前記非ぼかし領域の外に、前記ぼかし処理とは異なる画像処理を施すように制御する
ことを特徴とする請求項１乃至１２のいずれか１項に記載の撮像制御装置。
【請求項１５】
前記画像処理は、透過色のマスクをかける処理を含む
ことを特徴とする請求項１３又は１４に記載の撮像制御装置。
【請求項１６】
前記制御手段は、前記非ぼかし領域の外の前記ライブビュー画像の色相、明度、及び彩度のうちの少なくともいずれかに応じて、前記透過色のマスクの色を変更する
ことを特徴とする請求項１５に記載の撮像制御装置。
【請求項１７】
ぼかし処理を施さない非ぼかし領域を画面内で移動させる非ぼかし領域設定手段と、
焦点検出を行う焦点検出領域を前記画面内で移動させる焦点検出領域設定手段と、
前記非ぼかし領域を移動させる操作に応じて、前記非ぼかし領域を移動させると共に、前記非ぼかし領域の移動に合わせて前記焦点検出領域を移動させ、
前記焦点検出領域を移動させる操作に応じて、前記非ぼかし領域を移動させることなく前記焦点検出領域を移動させる
ように制御する制御手段と、
を備えることを特徴とする撮像制御装置。
【請求項１８】
前記制御手段は更に、
前記非ぼかし領域を移動させる操作に応じて、前記非ぼかし領域を移動させると共に、前記非ぼかし領域の移動に合わせて前記焦点検出領域を移動させ、
前記焦点検出領域を移動させる操作に応じて、前記非ぼかし領域を移動させることなく前記焦点検出領域を移動させる
ように制御する
ことを特徴とする請求項１乃至１６のいずれか1項に記載の撮像制御装置。
【請求項１９】
ぼかし処理を施さない非ぼかし領域を画面内で移動させる非ぼかし領域設定手段と、
焦点検出を行う焦点検出領域を前記画面内で移動させる焦点検出領域設定手段と、
前記焦点検出領域を移動させる操作に応じて、前記焦点検出領域を移動させると共に、前記焦点検出領域の移動に合わせて前記非ぼかし領域を移動させ、
前記非ぼかし領域を移動させる操作に応じて、前記焦点検出領域を移動させることなく前記非ぼかし領域を移動させる
ように制御する制御手段と、
を備えることを特徴とする撮像制御装置。
【請求項２０】
前記制御手段は更に、
前記焦点検出領域を移動させる操作に応じて、前記焦点検出領域を移動させると共に、前記焦点検出領域の移動に合わせて前記非ぼかし領域を移動させ、
前記非ぼかし領域を移動させる操作に応じて、前記焦点検出領域を移動させることなく前記非ぼかし領域を移動させる
ように制御する
ことを特徴とする請求項１乃至１６のいずれか１項に記載の撮像制御装置。
【請求項２１】
前記非ぼかし領域は、撮像手段で撮像された画像に前記非ぼかし領域以外の領域にぼかし処理を施した画像を生成する撮影モードにおける、ぼかし処理を施さない領域である
ことを特徴とする請求項１乃至２０のいずれか１項に記載の撮像制御装置。
【請求項２２】
請求項１乃至２１のいずれか１項に記載の撮像制御装置と、
撮像手段と、
前記焦点検出領域でオートフォーカス（ＡＦ）を行ってから前記撮像手段で撮像するように制御する撮像制御手段と、
前記撮像手段で撮像された画像について、前記非ぼかし領域以外の領域にぼかし処理を施す処理手段と、
前記処理手段で処理された画像を記録媒体に記録する記録手段と、
を備えることを特徴とする撮像装置。
【請求項２３】
撮像制御装置が実行する制御方法であって、
ぼかし処理を施さない非ぼかし領域を画面内に設定する非ぼかし領域設定工程と、
ユーザの操作に応じて、焦点検出を行う焦点検出領域を前記画面内に設定する焦点検出領域設定工程と、
前記非ぼかし領域の外に前記焦点検出領域がある場合に、前記非ぼかし領域の中に焦点検出領域がある場合には行わない通知をするように制御する制御工程と、
を備えることを特徴とする制御方法。
【請求項２４】
撮像制御装置が実行する制御方法であって、
ぼかし処理を施さない非ぼかし領域を画面内に設定する非ぼかし領域設定工程と、
第１の操作及び第２の操作に応じて、焦点検出を行う焦点検出領域を前記画面内で移動させる焦点検出領域設定工程と、
前記第１の操作があった場合には、前記焦点検出領域が前記非ぼかし領域の外に移動するか否かに関わらず前記焦点検出領域を移動させ、前記第２の操作があった場合には、前記第２の操作に応じた前記焦点検出領域の移動すべき位置が前記非ぼかし領域の中であれば前記焦点検出領域を移動させ、前記第２の操作に応じた前記焦点検出領域の移動すべき位置が前記非ぼかし領域の外であれば前記焦点検出領域を移動させないように制御する制御工程と、
を備えることを特徴とする制御方法。
【請求項２５】
撮像制御装置が実行する制御方法であって、
ユーザの操作に応じて、ぼかし処理を施さない非ぼかし領域を画面内で移動させる非ぼかし領域設定工程と、
前記ユーザの操作に応じて、焦点検出を行う焦点検出領域を前記画面内で移動させる焦点検出領域設定工程と、
前記ぼかし処理を施す撮影モードに設定された場合に、前記焦点検出領域を移動させる前記ユーザの操作を受け付けるように制御する前に、前記非ぼかし領域を移動させる前記ユーザの操作を受け付けるように制御する制御工程と、
を備えることを特徴とする制御方法。
【請求項２６】
撮像制御装置が実行する制御方法であって、
撮像手段で撮像されたライブビュー画像と共に、ぼかし処理を施さない非ぼかし領域を示す表示要素と焦点検出を行う焦点検出領域を示す表示要素とを表示する画面内に、前記非ぼかし領域を設定する非ぼかし領域設定工程と、
前記焦点検出領域を前記画面内に設定する焦点検出領域設定工程と、
前記画面において前記非ぼかし領域の内外を識別して視認可能となるように、前記非ぼかし領域の外に、前記ぼかし処理とは異なる画像処理を施すように制御する制御工程と、
を備えることを特徴とする制御方法。
【請求項２７】
撮像制御装置が実行する制御方法であって、
ぼかし処理を施さない非ぼかし領域を画面内で移動させる非ぼかし領域設定工程と、
焦点検出を行う焦点検出領域を前記画面内で移動させる焦点検出領域設定工程と、
前記非ぼかし領域を移動させる操作に応じて、前記非ぼかし領域を移動させると共に、前記非ぼかし領域の移動に合わせて前記焦点検出領域を移動させ、
前記焦点検出領域を移動させる操作に応じて、前記非ぼかし領域を移動させることなく前記焦点検出領域を移動させる
ように制御する制御工程と、
を備えることを特徴とする制御方法。
【請求項２８】
撮像制御装置が実行する制御方法であって、
ぼかし処理を施さない非ぼかし領域を画面内で移動させる非ぼかし領域設定工程と、
焦点検出を行う焦点検出領域を前記画面内で移動させる焦点検出領域設定工程と、
前記焦点検出領域を移動させる操作に応じて、前記焦点検出領域を移動させると共に、前記焦点検出領域の移動に合わせて前記非ぼかし領域を移動させ、
前記非ぼかし領域を移動させる操作に応じて、前記焦点検出領域を移動させることなく前記非ぼかし領域を移動させる
ように制御する制御工程と、
を備えることを特徴とする制御方法。
【請求項２９】
コンピュータを、請求項１乃至２１のいずれか１項に記載の撮像制御装置の各手段として機能させるためのプログラム。
【請求項３０】
コンピュータを、請求項１乃至２１のいずれか１項に記載の撮像制御装置の各手段として機能させるためのプログラムを格納したコンピュータが読み取り可能な記憶媒体。